(57)【要約】【課題】ユーザの利き手に応じて操作性向上を図る。【解決手段】デジタルカメラ１０における表示部１６と本体部２４の相対的な位置関係が右利き用である場合には、撮像レンズ３１が指向する向きと反対側の向きに面する表示面１６ａに画像を表示し、撮像レンズ３１が指向する向きに面する表示面１６ｂには画像を表示しない。一方、デジタルカメラ１０における表示部１６と本体部２４の相対的な位置関係が左利き用である場合には、撮像レンズ３１が指向する向きと反対側の向きに面する表示面１６ｂに画像を表示し、撮像レンズ３１が指向する向きに面する表示面１６ａには画像を表示しない。【選択図】図１
2006229524.tif 000002
【特許請求の範囲】
【請求項１】
並設された表示部と本体部とを有し、
前記表示部と本体部とを回転可能に連結するため、その並設方向に延在して設けた回転軸と、
前記表示部の表裏面のそれぞれに設けた表示手段と、
前記本体部の表裏面のうち一方の面に設けた操作スイッチと、
前記本体部の他方の面に設けた撮像レンズと、
前記本体部の撮像レンズが指向する向きと反対側の向きに面する表示手段に撮影画像を表示させる制御手段と、
を有し、前記表示部と本体部とが前記回転軸を介し且つ当該回転軸を中心として相対的に回転可能に連結されたことを特徴とする撮影装置。
【請求項２】
三脚を装着するための三脚装着部と、この三脚装着部に三脚が装着されたことを検出する検出手段とを有し、
前記制御手段は、前記検出手段による検出結果に基づいて、前記本体部の撮像レンズが指向する向きに面する表示手段にも撮影画像を表示させることを特徴とする請求項１に記載の撮影装置。
【請求項３】
前記本体部にフラッシュが設けられていることを特徴とする請求項１又は２に記載の撮影装置。
【請求項４】
前記表示部にシャッターが設けられていることを特徴とする請求項１〜３のいずれか一項に記載の撮影装置。
【請求項５】
前記表示部はリバーシブルＬＣＤを用いることを特徴とする請求項１〜４のいずれか一項に記載の撮影装置。
【発明の詳細な説明】
【技術分野】
【０００１】
本発明は、利き手に応じた操作利便性を提供する撮影装置に関する。
【背景技術】
【０００２】
一般に、デジタルカメラ等の撮影装置は、右利き用がほとんどを占めている。左利き専用カメラが発売されたこともあるが、右利き用に比べるとやはり販売台数が少ない。また、本体の一端側を中心に回動可能に取り付けられた表示キャビネットを本体のどちら側に配置させるかによって、右手・左手両方による操作を可能とした撮像装置が提案されている（例えば、特許文献１参照。）。
【特許文献１】特開２００４−２６６６９３号公報
【発明の開示】
【発明が解決しようとする課題】
【０００３】
しかし、特許文献１に記載の撮像装置を左利き用として用いる場合にも、左利き専用カメラと比べると使い勝手は劣っていた。また、装置の機構が複雑化し、操作が煩雑であった。
【０００４】
本発明は、上記の従来技術における問題に鑑みてなされたものであって、ユーザの利き手に応じて操作性向上を図ることができる撮影装置を提供することを課題とする。
【課題を解決するための手段】
【０００５】
上記課題を解決するため、請求項１に記載の発明の撮影装置は、
並設された表示部と本体部とを有し、
前記表示部と本体部とを回転可能に連結するため、その並設方向に延在して設けた回転軸と、
前記表示部の表裏面のそれぞれに設けた表示手段と、
前記本体部の表裏面のうち一方の面に設けた操作スイッチと、
前記本体部の他方の面に設けた撮像レンズと、
前記本体部の撮像レンズが指向する向きと反対側の向きに面する表示手段に撮影画像を表示させる制御手段と、
を有し、前記表示部と本体部とが前記回転軸を介し且つ当該回転軸を中心として相対的に回転可能に連結されたことを特徴とする。
【発明の効果】
【０００６】
請求項１に記載の発明によれば、本体部の撮像レンズが指向する向きと反対側の向きに面する表示手段に撮影画像を表示するので、ユーザの利き手に応じて操作性向上を図ることができる。また、撮像レンズが指向する向きに面する表示手段には撮影画像を表示しないので、消費電力を削減することができる。
【０００７】
請求項２に記載の発明によれば、検出手段による検出結果に基づいて、本体部の撮像レンズが指向する向きに面する表示手段にも撮影画像を表示するので、被写体側から撮影状態を確認することができる。
【０００８】
請求項３に記載の発明によれば、本体部にフラッシュが設けられているので、撮像レンズの近傍にフラッシュを配置させることができ、効率良くフラッシュ光を照射することができる。
【０００９】
請求項４に記載の発明によれば、表示部にシャッターが設けられているので、本体部とは独立に、表示部におけるシャッターの位置を固定することができ、操作性を向上させることができる。
【００１０】
請求項５に記載の発明によれば、リバーシブルＬＣＤを用いることにより、表示部を薄くすることができ、また撮影装置の軽量化を図ることができる。
【発明を実施するための最良の形態】
【００１１】
［第１の実施の形態］
まず、本発明の第１の実施の形態を詳細に説明する。
図１に、第１の実施の形態におけるデジタルカメラ１０の外観を示す。図１は、右利きのユーザがデジタルカメラ１０を使用する際の状態を示している。図１（ａ）はデジタルカメラ１０をユーザ側から見た図であり、図１（ｂ）はデジタルカメラ１０を被写体側から見た図である。図１（ａ）及び（ｂ）に示すように、デジタルカメラ１０は、表示部１６と本体部２４とが並設（一方向に並置）され、その並設方向に延在する回転軸２６を介して連結されている。
【００１２】
図２に示すように、表示部１６と本体部２４とは回転軸２６を中心として相対的に回転可能となっている。その回転は１８０度の回転だけができるようにストッパーが設けられ、また、回転軸２６は中空で筒状になっており表示部１６と本体部２４とを電気的に接続する接続コードが通されている（図示せず）。また、第２の実施の形態の回転軸２６も同様な構造となっている。
【００１３】
図１（ａ）及び（ｂ）に示すように、表示部１６は、表裏面のそれぞれに表示面１６ａ，１６ｂを備える。表示部１６として、リバーシブルＬＣＤ（Liquid Crystal Display）を用いる。リバーシブルＬＣＤは、１枚の液晶ガラスパネルの表裏に２枚の透明バックライトを組み合わせた構造になっており、両側のバックライトを交互に点灯させ、そのタイミングに合わせて画像を切り替えることにより、表示面１６ａ，１６ｂに異なる画像を表示することができる。また、表示部１６にはシャッターボタン２５が設けられている。
【００１４】
本体部２４の表裏面のうち一方の面には、図１（ａ）に示すように、操作スイッチとして、再生モードスイッチ１、撮影モードスイッチ２、モード切替スイッチ３，４，５、方向選択スイッチ６，７，８，９が設けられている。また、本体部２４の他方の面には、図１（ｂ）に示すように、撮像レンズ３１、フラッシュ１４が設けられている。
【００１５】
また、図１（ａ）及び（ｂ）に示すように、表示部１６内には発光ダイオード２１が設けられ、本体部２４内の発光ダイオード２１と対向する位置にはフォトトランジスタ２２が設けられている。図１に示すような配置の場合には、発光ダイオード２１から発せられた光がフォトトランジスタ２２により受光される。
【００１６】
図３（ａ）及び（ｂ）は、図１（ａ）及び（ｂ）に示す状態から回転軸２６を中心として本体部２４を１８０度回転させた状態であって、左利きのユーザがデジタルカメラ１０を使用する際の状態を示している。図３（ａ）はデジタルカメラ１０を被写体側から見た図であり、図３（ｂ）はデジタルカメラ１０をユーザ側から見た図である。図１に示す状態と図３に示す状態とでは、本体部２４が上下逆になっている。
【００１７】
図４は、デジタルカメラ１０の機能的構成を示すブロック図である。図４に示すように、デジタルカメラ１０は、ＣＰＵ（Central Processing Unit）１１、入力部１２、ＲＡＭ（Random Access Memory）１３、フラッシュ１４、伝送制御部１５、表示部１６、撮像部１７、記録部１８、記録媒体駆動部１９、位置検出部２０等を備えて構成されており、各部はバス２３により接続されている。
【００１８】
ＣＰＵ１１は、記録部１８に記憶されているシステムプログラムを読み出し、ＲＡＭ１３内に形成されたワークエリアに展開し、該システムプログラムに従って各部を制御する。また、ＣＰＵ１１は、記録部１８に記憶されている各種処理プログラムを読み出してワークエリアに展開し、各種処理を実行する。
【００１９】
具体的に、ＣＰＵ１１は、表示部１６と本体部２４との相対的な位置関係に基づいて、撮像レンズ３１が指向する向きと反対側の向きに面する表示面（表示面１６ａ又は表示面１６ｂ）に画像を表示させる。また、ＣＰＵ１１は、表示部１６と本体部２４との相対的な位置関係に基づいて、操作スイッチにおける操作指示の方向を変更させる。
【００２０】
入力部１２は、再生モードスイッチ１、撮影モードスイッチ２、モード切替スイッチ３，４，５、方向選択スイッチ６，７，８，９、シャッターボタン２５等を備え、その各操作に応じた操作信号をＣＰＵ１１に出力する。
【００２１】
ＲＡＭ１３は、ＣＰＵ１１によって実行される各種プログラム及びこれらプログラムに係るデータを一時的に記憶するワークエリアを形成する。
【００２２】
フラッシュ１４は、フラッシュ光源を備え、ＣＰＵ１１の制御に基づいて、被写体に対してフラッシュ光を照射する。
【００２３】
伝送制御部１５は、通信用ケーブル等により外部の電子機器、例えば、パーソナルコンピュータ等と接続され、画像データ等の送受信を制御する。なお、外部機器との接続は、赤外線や無線等の無線接続であってもよい。
【００２４】
表示部１６は、ＬＣＤにより構成され、ＣＰＵ１１から入力される表示信号の指示に従って、撮影モード時には電子ファインダとして撮影しようとする画像を表示し、再生モード時には撮影された画像のうち選択された画像を再生表示する。
【００２５】
図５は、撮像部１７の詳細構成を示す図である。ここで、図５を参照して撮像部１７について説明する。
撮像レンズ３１を通過した被写体像は絞り機構３２を介してＣＣＤ（Charge Coupled Device）３３上に結像される。撮像レンズ３１及び絞り機構３２は、光学系駆動部３４によって、焦点合わせのためにレンズ位置が移動され、また、適切な露出となるように絞り量が制御される。この撮像レンズ３１の移動や絞り機構３２の絞りは、測距センサや光量センサを含むセンサ部３５によって検出された検出値がバス２３を介してＣＰＵ１１に出力され、ＣＰＵ１１で検出値に基づいて演算された撮像レンズ３１の移動量や絞り機構３２の絞り量を示す信号が光学系駆動部３４に出力されることによって駆動がなされるものである。
【００２６】
ＣＣＤ３３に被写体が結像されると、ＣＣＤ３３には入射光量に応じた電荷が蓄積され、この電荷は駆動回路３６から与えられる駆動パルス信号によって順次読み出され、アナログ処理回路３７に出力される。アナログ処理回路３７では、色分離やゲイン調整、ホワイトバランス等の各種処理が行われ、処理された信号はＡ／Ｄ変換回路３８を介してデジタル画像データ（以下、画像データという。）としてバッファレジスタ３９に記憶される。
【００２７】
バッファレジスタ３９に記憶された画像データは、ＣＰＵ１１からの制御信号に基づいて、信号処理回路４０において輝度信号及び色差信号に変換され、表示部１６に表示される。また、信号処理回路４０において処理された画像データは、ＣＰＵ１１からの制御信号に基づいて、圧縮伸張回路４１において圧縮され、バス２３を介して図４に示す記録部１８又は記録媒体１９ａに記録される。
【００２８】
図４に戻り、記録部１８は、フラッシュメモリ等の不揮発メモリ等により構成され、デジタルカメラ１０に対応するシステムプログラム、及び該システムプログラム上で実行可能な各種処理プログラム、アプリケーションプログラム及びこれらのプログラムで処理されたデータ等を記録する。また、記録部１８は、撮影された画像データを記録する。
【００２９】
また、記録部１８には、右利き／左利きのそれぞれに対して、操作スイッチの機能を設定するためのスイッチ設定テーブルが記憶されている。図６に、スイッチ設定テーブルの例を示す。図６に示すように、再生モードスイッチ１、撮影モードスイッチ２、モード切替スイッチ３，４，５は、右利き／左利きに共通した機能を有する。再生モードスイッチ１は再生モードを設定するためのスイッチである。撮影モードスイッチ２は撮影モードを設定するためのスイッチである。モード切替スイッチ３，４，５は、モードを切り替えるためのスイッチである。方向選択スイッチ６，７，８，９は、右利き／左利きに対して異なる機能を有する。方向選択スイッチ６は、右利き仕様では上選択を示し、左利き仕様では下選択を示す。同様に、方向選択スイッチ７は、右利き仕様では右選択を示し、左利き仕様では左選択を示す。また、方向選択スイッチ８は、右利き仕様では下選択を示し、左利き仕様では上選択を示す。また、方向選択スイッチ９は、右利き仕様では左選択を示し、左利き仕様では右選択を示す。
【００３０】
記録媒体駆動部１９は、装着された記録媒体１９ａに対してデータを記録したり、既に記録されているデータを読み出して再生したりするための駆動回路である。装着される記録媒体１９ａとしては、スマートメディア（登録商標）、メモリースティック（登録商標）、コンパクトフラッシュ（登録商標）、ＳＤカード、ＰＣカード、ＩＣカード、ＭＯ（magneto-optic）等の各種カードが用いることができ、これらの各種カードのいずれか又は複数のカードに応じた記録媒体駆動部１９が設けられている。
【００３１】
位置検出部２０は、表示部１６に設けられた発光ダイオード２１と、本体部２４に設けられたフォトトランジスタ２２と、から構成され、フォトトランジスタ２２による検出信号をＣＰＵ１１に出力する。デジタルカメラ１０を使用する際の表示部１６と本体部２４の相対的な位置関係は、図１に示した右利きのユーザがデジタルカメラ１０を使用する際の状態と、図３に示した左利きのユーザがデジタルカメラ１０を使用する際の状態のいずれかであるから、発光ダイオード２１から発せられた光がフォトトランジスタ２２により受光された場合には、右利き用の制御を行い、発光ダイオード２１から発せられた光がフォトトランジスタ２２により受光されなかった場合には、左利き用の制御を行うこととする。
【００３２】
次に、動作について説明する。
図７は、デジタルカメラ１０のＣＰＵ１１により実行される右利き／左利き仕様設定処理を示すフローチャートである。当該処理は、ＣＰＵ１１と記録部１８に記憶されている右利き／左利き仕様設定処理プログラムとの協働によるソフトウエア処理により実現される処理である。
【００３３】
まず、位置検出部２０により、デジタルカメラ１０における表示部１６と本体部２４の相対的な位置関係が右利き用であるか、左利き用であるかが判断される（ステップＳ１）。具体的には、発光ダイオード２１から発せられた光がフォトトランジスタ２２により受光されるか否かに基づいて、右利きのユーザがデジタルカメラ１０を使用する際の状態（図１参照）であるか、左利きのユーザがデジタルカメラ１０を使用する際の状態（図３参照）であるかが判断される。
【００３４】
デジタルカメラ１０における表示部１６と本体部２４の相対的な位置関係が右利き用である場合には（ステップＳ１；右）、表示部１６が右利き仕様に設定され（ステップＳ２）、撮像レンズ３１が指向する向きと反対側の向きに面する表示面１６ａに画像が表示され、撮像レンズ３１が指向する向きに面する表示面１６ｂに画像が表示されないよう設定される。
【００３５】
そして、記録部１８に記憶されているスイッチ設定テーブルに基づいて、右利き仕様のテーブルを用いるように設定される（ステップＳ３）。
【００３６】
デジタルカメラ１０における表示部１６と本体部２４の相対的な位置関係が左利き用である場合には（ステップＳ１；左）、表示部１６が左利き仕様に設定され（ステップＳ４）、撮像レンズ３１が指向する向きと反対側の向きに面する表示面１６ｂに画像が表示され、撮像レンズ３１が指向する向きに面する表示面１６ａに画像が表示されないよう設定される。
【００３７】
そして、記録部１８に記憶されているスイッチ設定テーブルに基づいて、左利き仕様のテーブルを用いるように設定される（ステップＳ５）。
以上で、右利き／左利き仕様設定処理が終了する。
【００３８】
続いて、図８を参照して、デジタルカメラ１０のＣＰＵ１１により実行される撮影時動作処理を説明する。当該処理は、ＣＰＵ１１と記録部１８に記憶されている撮影時動作処理プログラムとの協働によるソフトウエア処理により実現される処理である。
【００３９】
まず、再生モードスイッチ１、撮影モードスイッチ２、モード切替スイッチ３，４，５、方向選択スイッチ６，７，８，９等の操作スイッチにおいて、スイッチ操作が行われたか否かが判断される（ステップＳ１１）。スイッチ操作が行われた場合には（ステップＳ１１；ＹＥＳ）、スイッチ設定テーブルが右利き仕様／左利き仕様のどちらに設定されているかが判断される（ステップＳ１２）。
【００４０】
スイッチ設定テーブルが右利き仕様に設定されている場合には（ステップＳ１２；右）、右利き仕様のテーブルに基づいて入力処理が行われる（ステップＳ１３）。一方、スイッチ設定テーブルが左利き仕様に設定されている場合には（ステップＳ１２；左）、左利き仕様のテーブルに基づいて入力処理が行われる（ステップＳ１４）。そして、ステップＳ１１に戻る。
【００４１】
ステップＳ１１においてスイッチ操作が行われず（ステップＳ１１；ＮＯ）、シャッターボタン２５が押下された場合には（ステップＳ１５；ＹＥＳ）、撮影処理が行われる（ステップＳ１６）。次に、撮影を終了するか否かが判断され（ステップＳ１７）、撮影を終了する場合には（ステップＳ１７；ＹＥＳ）、撮影時動作処理が終了する。
【００４２】
ステップＳ１５においてシャッターボタン２５が押下されない場合（ステップＳ１５；ＮＯ）、又は、ステップＳ１７において撮影を終了しない場合には（ステップＳ１７；ＮＯ）、ステップＳ１１に戻る。
【００４３】
以上説明したように、第１の実施の形態におけるデジタルカメラ１０によれば、右利きのユーザが使用する際には表示面１６ａに画像を表示し、左利きのユーザが使用する際には表示面１６ｂに画像を表示するので、ユーザの利き手に応じて操作性向上を図ることができる。また、右利きのユーザが使用する際には表示面１６ｂに画像を表示せず、左利きのユーザが使用する際には表示面１６ａに画像を表示しないので、消費電力を削減することができる。このように、同一の部品を用いて、右利き／左利き両方に対応することができる。
【００４４】
また、デジタルカメラ１０は、本体部２４にフラッシュ１４が設けられているので、撮像レンズ３１の近傍にフラッシュ１４を配置させることができ、効率良くフラッシュ光を照射することができる。なお、通常、レンズの上部にフラッシュが設けられる場合が多いが、本実施の形態では、右利きの場合と左利きの場合とで、本体部２４が上下逆になるため、撮像レンズ３１の横の位置にフラッシュ１４を設けることが望ましい。
【００４５】
また、デジタルカメラ１０は、表示部１６にシャッターボタン２５が設けられているので、本体部２４とは独立に、表示部１６におけるシャッターボタン２５の位置を固定することができ、操作性を向上させることができる。
【００４６】
また、リバーシブルＬＣＤを用いることにより、表示部１６を薄くすることができ、デジタルカメラ１０の軽量化を図ることができる。
【００４７】
［第２の実施の形態］
次に、本発明を適用した第２の実施の形態を詳細に説明する。
図９に、第２の実施の形態におけるデジタルカメラ５０の外観を示す。図９は、右利きのユーザがデジタルカメラ５０を使用する際の状態を示している。図９（ａ）はデジタルカメラ５０をユーザ側から見た図であり、図９（ｂ）はデジタルカメラ５０を被写体側から見た図である。図９（ａ）及び（ｂ）に示すように、デジタルカメラ５０は、表示部１６と本体部２４とが並設（一方向に並置）され、その並設方向に延在する回転軸２６を介して連結されている。
【００４８】
図１０に示すように、表示部１６と本体部２４とは回転軸２６を中心として相対的に回転可能となっている。
【００４９】
図９（ａ）及び（ｂ）に示すように、表示部１６は、表裏面のそれぞれに表示面１６ａ，１６ｂを備える。表示部１６として、リバーシブルＬＣＤを用いる。また、表示部１６にはシャッターボタン２５が設けられている。
【００５０】
本体部２４の表裏面のうち一方の面には、図９（ａ）に示すように、操作スイッチとして、再生モードスイッチ１、撮影モードスイッチ２、モード切替スイッチ３，４、方向選択スイッチ６，７，８，９が設けられている。また、本体部２４の他方の面には、図９（ｂ）に示すように、撮像レンズ３１、フラッシュ１４が設けられている。
【００５１】
また、図９（ａ）及び（ｂ）に示すように、表示部１６内には発光ダイオード２１が設けられ、本体部２４内の発光ダイオード２１に対向する位置にはフォトトランジスタ２２が設けられている。図９に示すような配置の場合には、発光ダイオード２１から発せられた光がフォトトランジスタ２２により受光される。
【００５２】
図１１（ａ）及び（ｂ）は、図９（ａ）及び（ｂ）に示す状態から回転軸２６を中心として本体部２４を１８０度回転させた状態であって、左利きのユーザがデジタルカメラ５０を使用する際の状態を示している。図１１（ａ）はデジタルカメラ５０を被写体側から見た図であり、図１１（ｂ）はデジタルカメラ５０をユーザ側から見た図である。
【００５３】
デジタルカメラ５０の機能的構成は、第１の実施の形態に示したデジタルカメラ１０の機能的構成（図４参照）と同様であるため、同一の構成部分については同一の符号を付し、図示及び説明を省略する。以下、第２の実施の形態に特徴的な処理について説明する。
【００５４】
デジタルカメラ５０の使用時に、ＣＰＵ１１により、表示部１６と本体部２４の相対的な位置関係が右利き用であるか、左利き用であるかが判断される。具体的には、発光ダイオード２１から発せられた光がフォトトランジスタ２２により受光されるか否かに基づいて、右利きのユーザがデジタルカメラ５０を使用する際の状態（図９参照）であるか、左利きのユーザがデジタルカメラ５０を使用する際の状態（図１１参照）であるかが判断される。
【００５５】
デジタルカメラ５０における表示部１６と本体部２４の相対的な位置関係が右利き用である場合には、表示部１６が右利き仕様に設定され、撮像レンズ３１が指向する向きと反対側の向きに面する表示面１６ａに画像が表示され、撮像レンズ３１が指向する向きに面する表示面１６ｂに画像が表示されないよう設定される。
【００５６】
デジタルカメラ５０における表示部１６と本体部２４の相対的な位置関係が左利き用である場合には、表示部１６が左利き仕様に設定され、撮像レンズ３１が指向する向きと反対側の向きに面する表示面１６ｂに画像が表示され、撮像レンズ３１が指向する向きに面する表示面１６ａに画像が表示されないよう設定される。
【００５７】
第１の実施の形態では、右利き／左利きに応じて操作スイッチにおける操作指示の方向を変更することとしたが、第２の実施の形態では、ユーザから見て本体部２４の各操作スイッチの位置が同じであるため、操作指示の方向の変更は行わない。
【００５８】
なお、図９及び図１１に示す状態において、本体部２４と表示部１６の位置が安定するように、本体部２４と表示部１６が互いに接する位置に固定部材を設けることとしてもよい。図１２は、固定部材が設けられた部分の断面図である。図１２に示すように、本体部２４は表示部１６側に穴を有し、その穴の底部にはバネ５１の一端が固定され、バネ５１の他端は球状部材５２に固定されている。つまり、バネ５１が縮んだ状態のときには球状部材５２は穴の内側へ入り込む。表示部１６の本体部２４と接する部分には、球状部材５２が入る溝が設けられており、図１２に示す位置で固定されるようになっている。
【００５９】
以上説明したように、第２の実施の形態におけるデジタルカメラ５０によれば、右利きのユーザが使用する際には表示面１６ａに画像を表示し、左利きのユーザが使用する際には表示面１６ｂに画像を表示するので、ユーザの利き手に応じて操作性向上を図ることができる。また、右利きのユーザが使用する際には表示面１６ｂに画像を表示せず、左利きのユーザが使用する際には表示面１６ａに画像を表示しないので、消費電力を削減することができる。
【００６０】
［第３の実施の形態］
次に、本発明を適用した第３の実施の形態について説明する。
第３の実施の形態に示すデジタルカメラ６０は、第１の実施の形態に示したデジタルカメラ１０と同様の構成であるため、同一の構成部分については同一の符号を付し、その構成については説明を省略する。以下、第３の実施の形態に特徴的な構成及び処理について説明する。
【００６１】
図１３は、デジタルカメラ６０の機能的構成を示すブロック図である。図１３に示すように、デジタルカメラ６０は、ＣＰＵ１１、入力部１２、ＲＡＭ１３、フラッシュ１４、伝送制御部１５、表示部１６、撮像部１７、記録部１８、記録媒体駆動部１９、位置検出部２０、三脚検出部６１等を備えて構成されており、各部はバス２３により接続されている。
【００６２】
三脚検出部６１は、フォトトランジスタ６２を備える。図１４に示すように、デジタルカメラ６０の底面には、三脚を装着するための三脚装着部６３が設けられており、三脚装着部６３のネジ受け部６４の奥にフォトトランジスタ６２が設けられている。フォトトランジスタ６２は、三脚のネジ部６５により光が遮断されることによって、三脚が装着されていることを検出し、検出結果をバス２３を介してＣＰＵ１１に出力する。
【００６３】
ＣＰＵ１１は、フォトトランジスタ６２による検出結果に基づいて、デジタルカメラ６０に三脚が装着されている場合には、撮像レンズ３１が指向する向きと反対側、すなわちユーザ側のＬＣＤと、撮像レンズ３１が指向する向きと同じ側、すなわち被写体側のＬＣＤの両方に画像を表示させる。また、デジタルカメラ６０に三脚が装着されていない場合には、撮像レンズ３１が指向する向きと反対側のＬＣＤにのみ画像を表示させる。
【００６４】
次に、動作について説明する。
図１５は、デジタルカメラ６０のＣＰＵ１１により実行される表示部制御処理を示すフローチャートである。当該処理は、ＣＰＵ１１と記録部１８に記憶されている表示部制御処理プログラムとの協働によるソフトウエア処理により実現される処理である。
【００６５】
図１５に示すように、デジタルカメラ６０に三脚が装着されている場合には（ステップＳ２１；ＹＥＳ）、フォトトランジスタ６２がＯＮ状態となり（ステップＳ２２）、ユーザ側のＬＣＤだけでなく、被写体側のＬＣＤにも画像が表示される（ステップＳ２３）。
【００６６】
また、デジタルカメラ６０に三脚が装着されていない場合には（ステップＳ２１；ＮＯ）、フォトトランジスタ６２がＯＦＦ状態となり（ステップＳ２４）、被写体側のＬＣＤはＯＦＦのままとなり、ユーザ側のＬＣＤにのみ画像が表示される（ステップＳ２５）。
【００６７】
以上説明したように、第３の実施の形態におけるデジタルカメラ６０によれば、フォトトランジスタ６２による検出結果に基づいて、三脚が装着されている場合には、撮像レンズ３１が指向する向きに面する表示面にも画像を表示するので、被写体側から撮影状態を確認することができる。例えば、集合写真を撮影する際に、被写体が各自立ち位置を確認する場合等に有効である。
【００６８】
なお、上記各実施の形態における記述は、本発明に係る撮影装置の例であり、これに限定されるものではない。撮影装置を構成する各部の細部構成及び細部動作に関しても本発明の趣旨を逸脱することのない範囲で適宜変更可能である。
【００６９】
例えば、上記各実施の形態では、発光ダイオード２１とフォトトランジスタ２２を用いて、表示部１６と本体部２４の相対的な位置関係を検出することとしたが、機械的手段により位置を検出することとしてもよい。
【図面の簡単な説明】
【００７０】
【図１】第１の実施の形態におけるデジタルカメラ１０の外観図であり、右利きのユーザがデジタルカメラ１０を使用する際の状態を示す図である。
【図２】デジタルカメラ１０において、回転軸２６を中心として表示部１６と本体部２４とを回転させる場合の途中の状態を示す斜視図である。
【図３】デジタルカメラ１０の外観図であり、左利きのユーザがデジタルカメラ１０を使用する際の状態を示す図である。
【図４】デジタルカメラ１０の機能的構成を示すブロック図である。
【図５】図４の撮像部１７の詳細構成を示す図である。
【図６】スイッチ設定テーブルの例である。
【図７】デジタルカメラ１０のＣＰＵ１１により実行される右利き／左利き仕様設定処理を示すフローチャートである。
【図８】デジタルカメラ１０のＣＰＵ１１により実行される撮影時動作処理を示すフローチャートである。
【図９】第２の実施の形態におけるデジタルカメラ５０の外観図であり、右利きのユーザがデジタルカメラ５０を使用する際の状態を示す図である。
【図１０】デジタルカメラ５０において、回転軸２６を中心として表示部１６と本体部２４とを回転させる場合の途中の状態を示す斜視図である。
【図１１】デジタルカメラ５０の外観図であり、左利きのユーザがデジタルカメラ５０を使用する際の状態を示す図である。
【図１２】デジタルカメラ５０の固定部材が設けられた部分の断面図である。
【図１３】第３の実施の形態におけるデジタルカメラ６０の機能的構成を示すブロック図である。
【図１４】デジタルカメラ６０の三脚装着部６３の構造を示す図である。
【図１５】デジタルカメラ６０のＣＰＵ１１により実行される表示部制御処理を示すフローチャートである。
【符号の説明】
【００７１】
１  再生モードスイッチ
２  撮影モードスイッチ
３，４，５  モード切替スイッチ
６，７，８，９  方向選択スイッチ
１０  デジタルカメラ
１１  ＣＰＵ
１２  入力部
１３  ＲＡＭ
１４  フラッシュ
１５  伝送制御部
１６  表示部
１６ａ，１６ｂ  表示面
１７  撮像部
１８  記録部
１９  記録媒体駆動部
２０  位置検出部
２１  発光ダイオード
２２  フォトトランジスタ
２３  バス
２４  本体部
２５  シャッターボタン
２６  回転軸
３１  撮像レンズ
３２  絞り機構
３３  ＣＣＤ
５０  デジタルカメラ
６０  デジタルカメラ
６１  三脚検出部
６２  フォトトランジスタ
６３  三脚装着部
【図１】
2006229524.tif 000003
【図２】
2006229524.tif 000004
【図３】
2006229524.tif 000005
【図４】
2006229524.tif 000006
【図５】
2006229524.tif 000007
【図６】
2006229524.tif 000008
【図７】
2006229524.tif 000009
【図８】
2006229524.tif 000010
【図９】
2006229524.tif 000011
【図１０】
2006229524.tif 000012
【図１１】
2006229524.tif 000013
【図１２】
2006229524.tif 000014
【図１３】
2006229524.tif 000015
【図１４】
2006229524.tif 000016
【図１５】
2006229524.tif 000017